(57)【特許請求の範囲】
【請求項１】
かご底枠と、前記かご底枠に固定した皿類周端部載置用の第１の線材と、前記第１の線材に取り付けられ適当な間隔をおいて凹部を有する保持部材と、前記第１の線材に各々の一端を結合し皿類の外周面を支持する複数の第２の線材とを備え、前記第２の線材は、前記保持部材の凹部に嵌合解除可能に嵌合保持し、嵌合解除したときは前記第１の線材の軸方向に移動可能に構成した食器洗い機のかご。
【請求項２】
第２の線材を略Ｕ字状に構成し、その根元部分を保持部材の凹部に嵌合解除可能に嵌合保持した請求項１記載の食器洗い機のかご。
【請求項３】
かご底枠と、前記かご底枠に固定した皿類周端部載置用の第１の線材と、皿類の外周面を支持する複数の第２の線材と、前記第２の線材の一対を組として固定する連結線材とを備え、前記連結線材を前記第１の線材と垂直に交差させて回転可能に構成することにより、前記第２の線材の前記第１の線材の軸方向における傾斜角度を調節可能に構成した食器洗い機のかご。
【請求項４】
第２の線材の組に対し傾斜角度調節部を設けた請求項３記載の食器洗い機のかご。
【請求項５】
傾斜角度調節部をかご前方部に配した請求項４記載の食器洗い機のかご。
【発明の詳細な説明】
【０００１】
【発明の属する技術分野】
本発明は、洗浄水を吐出して食器の洗浄を行う食器洗い機の食器を収納するかごに関するものである。
【０００２】
【従来の技術】
近年、洗浄槽内で回転するノズルから噴射される洗浄水によってかごに収納された食器を洗浄する食器洗い機が主流となってきている。
【０００３】
従来、この種の食器洗い機は図７に示すように構成しており、食器洗い機のかごの要部は図８に示すように構成していた。以下、その構成について説明する。
【０００４】
図７に示すように、洗浄槽１は、前方に開口部を有し、この開口部を扉２により開閉するとともに、内部に洗浄水を噴射する洗浄ノズル３を回転自在に設けており、洗浄槽１内に食器４を収納するかご５を配置している。
【０００５】
洗浄槽１内の洗浄水はヒータ６によって温水化され、洗浄ポンプ７にて排水口８に備えた残菜フィルター９から吸い込まれ、洗浄ノズル３に圧送される。そして、回転する洗浄ノズル３より勢いよく噴射される洗浄水によって、かご５に収納された食器４を洗浄するように構成している。
【０００６】
かご５の皿類支持部は、図８に示すように、かご底枠１０と、皿類周端部載置用の第１の線材１１と、皿類の外周面を支持する第２の線材１２とで構成されている。第２の線材１２は一定の間隔で複数並立して第１の線材１１に固定されており、第１の線材１はかご底枠１０に固定されている。
【０００７】
上記構成において作用を説明する。複数の第２の線材１２の内、１２ａと１２ｂとの間に皿類を設置すると、第２の線材１２ａは第１の線材１１と交差する２点で皿類周端部の内周面側を支持し、第２の線材１２ａの隣に並立する第２の線材１２ｂで皿類の外周面の２点を支持する。
【０００８】
【発明が解決しようとする課題】
このような従来の構成では、皿類支持部に椀形状または丼形状等の食器外周面の曲率が小さい食器を設置する場合に、第２の線材１２ａにより食器４の内周面側１３を支持し、第２の線材１２ｂで外周面１４を支持すると、第２の線材１２ａ１、２ｂが直線状の線材であるために、食器４の外周面１４における支持点がより下方になり、食器４が前傾して食器４相互が干渉したり、設置状態が不安定になるため、洗浄水が届きにくくなることによる洗浄能力の低下や食器の破損という問題点を有していた。
【０００９】
本発明は上記課題を解決するもので、外周面の曲率が小さい食器を設置する場合でも複数の食器が前傾または干渉することなく、安定して設置できるようにすることを目的としている。
【００１０】
【課題を解決するための手段】
本発明は上記目的を達成するために、かご底枠に皿類周端部載置用の第１の線材を固定し、この第１の線材に取り付けられた保持部材に適当な間隔をおいて設けた凹部に、各々の一端を第１の線材に結合し皿類の外周面を支持するように構成した第２の線材を嵌合解除可能に嵌合保持し、嵌合解除したときに、第２の線材は、第１の線材の軸方向に移動可能に構成したものである。
【００１１】
これにより、皿類支持部に、椀形状または丼形状等の外周面の曲率が小さい食器を設置する場合でも、複数の食器が前傾または干渉することなく、安定して設置することができる。
【００１２】
【発明の実施の形態】
本発明の請求項１に記載の発明は、かご底枠と、前記かご底枠に固定した皿類周端部載置用の第１の線材と、前記第１の線材に取り付けられ適当な間隔をおいて凹部を有する保持部材と、前記第１の線材に各々の一端を結合し皿類の外周面を支持する複数の第２の線材とを備え、前記第２の線材は、前記保持部材の凹部に嵌合解除可能に嵌合保持し、嵌合解除したときは前記第１の線材の軸方向に移動可能に構成したものであり、皿類支持部に椀形状または丼形状等の外周面の曲率が小さい食器を設置する場合は、第２の線材の内の１組により食器の内周面側を支持し、この第２の線材と隣に並立する第２の線材との間隔を広げることによって、食器の外周面の支持位置が食器の底側へ移動し、より上方で支持することができ、複数の食器を干渉させることなく安定して支持することができるとともに、第２の線材の各組を同時に移動することができるため、使用勝手を向上することができる。
【００１３】
請求項２に記載の発明は、上記請求項１に記載の発明において、第２の線材を略Ｕ字状に構成し、その根元部分を保持部材の凹部に嵌合解除可能に嵌合保持したものであり、皿類支持部に椀形状または丼形状等の外周面の曲率が小さい食器を設置する場合は、第２の線材の内の１組により食器の内周面側を支持し、この第２の線材と隣に並立する第２の線材との間隔を広げることによって、食器の外周面の支持位置が食器の底側へ移動し、より上方で支持することができ、複数の食器を干渉させることなく安定して支持することができるとともに、第２の線材の各組を同時に移動することができるため、使用勝手を向上することができるとともに略Ｕ字形状による弾性力を利用した簡易な固定方式とすることができるため、より廉価な食器洗い機のかごを得ることができる。
【００１４】
請求項３に記載の発明は、かご底枠と、前記かご底枠に固定した皿類周端部載置用の第１の線材と、皿類の外周面を支持する複数の第２の線材と、前記第２の線材の一対を組として固定する連結線材とを備え、前記連結線材を前記第１の線材と垂直に交差させて回転可能に構成することにより、前記第２の線材の前記第１の線材の軸方向における傾斜角度を調節可能に構成したものであり、皿類支持部に椀形状または丼形状等の外周面の曲率が小さい食器を設置する場合は、第２の線材の内の１組により食器の内周面側を支持し、この第２の線材と隣に並立する第２の線材を食器の底側へ傾倒することによって、食器の外周面の支持位置を下方へ移動し、食器の開口面が鉛直に近い状態で設置することができ、複数の食器を干渉させることなく安定して支持することができる。
【００１５】
請求項４に記載の発明は、上記請求項３に記載の発明において、第２の線材の組に対し傾斜角度調節部を設けたものであり、皿類支持部に椀形状または丼形状等の外周面の曲率が小さい食器を設置する場合は、第２の線材の内の１組により食器の内周面側を支持し、この第２の線材と隣に並立する第２の線材を食器の底側へ傾倒することによって、食器の外周面の支持位置を下方へ移動し、食器の開口面が鉛直に近い状態で設置することができ、複数の食器を干渉させることなく安定して支持することができるとともに、傾斜角度調節部を用いて第２の線材の組を同時に調節することができるため、使用勝手を向上することができる。
【００１６】
請求項５に記載の発明は、上記請求項４に記載の発明において、傾斜角度調節部をかご前方部に配したものであり、皿類支持部に椀形状または丼形状等の外周面の曲率が小さい食器を設置する場合は、第２の線材の内の１組により食器の内周面側を支持し、この第２の線材と隣に並立する第２の線材を食器の底側へ傾倒することによって、食器の外周面の支持位置を下方へ移動し、食器の開口面が鉛直に近い状態で設置することができ、複数の食器を干渉させることなく安定して支持することができるとともに、かごの前方より食器の傾きを確認しながら傾斜角度調節部を操作することができ、食器に触れることなく第２の線材の各組を同時に調節することができるため、使用勝手を向上することができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、２本の第１の線材１１はかご底枠１０に固定されており、接続部材１５を介して第２の線材１６と連結し、食器（皿類）４を設置できるように構成している。接続部材１５は連結線材１７によって第２の線材１６の各組を連結し、第１の線材１１の軸方向に移動可能に構成している。接続部材１３の下部には、図２に示すように、凹部１８を設けており、第１の線材１１の下方に配設した波形状の線材１９の凸部との係合する位置において停止できるように構成している。
【００１９】
上記構成において作用を説明すると、かご５の皿類支持部に椀形状の外周面１４の曲率が小さい食器４を設置する場合、第２の線材１６のうちの１組１６ａと第１の線材１１との連結点において食器４の内周面側１３を支持する。第２の線材１６ａとその隣にある第２の線材１６ｂとの間隔を開けることにより、第２の線材１６ｂで支持する外周面１４の位置は食器４の底の方へ近づき、食器４の設置姿勢はより鉛直状態に近づく。
【００２０】
このことにより、食器４を安定して支持することができるため食器４の前傾を防ぐことができ、洗浄性能を確保するための食器４相互の間隔を確保することができる。また、食器４相互の干渉を防ぐことができ、食器４の損傷を防ぐことができる。
【００２１】
（実施例２）
図３に示すように、第１の線材１１には複数の凹部２０を有する保持部材２１を固定している。第２の線材２２は略Ｕ字形状に形成し、第２の線材２２の一部を保持部材１９の凹部２０に嵌合させている。第２の線材２２は両先端部間において弾性力を有しており、両先端部を掴むことによって保持部材２１との嵌合状態を解除し、容易に第２の線材２２の位置を移動できるようにしている。
【００２２】
上記構成において作用を説明すると、かご５の皿類支持部に椀形状の外周面１３の曲率が小さい食器４を設置する場合、第２の線材２２ａと保持部材２１との交点で食器４の内周面側１３を支持する。第２の線材２２ａとその隣にある第２の線材２２ｂとの間隔を開けることにより、第２の線材２２ｂで支持する食器４の外周面１４の位置は食器４の底の方へ近づき、食器４の設置姿勢はより鉛直状態に近づく。
【００２３】
このことにより、上記実施例１と同様に、食器４を安定して支持することができるため食器４の前傾を防ぐことができ、洗浄性能を確保するための食器４相互の間隔を確保することができる。また、食器４相互の干渉を防ぐことができ、食器４の損傷を防ぐことができる。また、保持部材２１を用いた簡易な構成としているため、より廉価に構成することができる。
【００２４】
（実施例３）
図４に示すように、２本の第１の線材１１はかご底枠１０に固定されており、第２の線材２３の各組は回転線材２４に固定している。回転線材２４は第２の線材２３との交点近傍で第１の線材１１と垂直に交差し、回転線材２４を回転させると、第１の線材１１と第２の線材２３との間の第１の線材１１の軸方向の角度θを調節できるようにしている。
【００２５】
また、回転線材２４の一端には直角の曲げ形状が施されており、図５に示すように、かご５の前方に固定した扇状の角度調整部品２５と嵌合している。角度調整部品２５には、複数の爪部２６を設けており、回転線材２４を複数の角度に調節し固定できる構成になっている。
【００２６】
上記構成において作用を説明すると、かご５の皿類支持部に椀形状の外周面１４の曲率が小さい食器４を設置する場合、第１の線材１１と第２の線材２３ａとの交差点で食器４の内周面側１３を支持する。第２の線材２３ａの隣にある第２の線材２３ｂの第１の線材１１との角度を小さくすることにより、第２の線材２３ｂで支持する食器４の外周面１４の位置は下方へ移動し、食器４の設置姿勢はより鉛直状態に近づく。
【００２７】
このことにより、食器４を安定して支持することができるため、食器４の前傾を防ぐことができ、洗浄性能を確保するための食器４相互の間隔を確保することができる。また、食器４相互の干渉を防ぐことができ、食器４の損傷を防ぐことができる。また、かご５の前方から食器４の傾きを見ながら第２の線材２３の各組の角度を調節することができるため、使用勝手を向上することができる。
【００２８】
（実施例４）
図６に示すように、２本の第１の線材２７には第２の線材２８を適当な間隔で固定しており、第１の線材２７の両端には直角の曲げ形状が施されている。かご底枠１０に嵌合部材２９を固定し、第１の線材２７の両端を嵌合部材２９に嵌合している。嵌合部材２９には、適当な間隔に複数の凹部３０を設けており、２本の第１の線材２７の間隔を調節し固定できる構成になっている。
【００２９】
上記構成において作用を説明すると、かご５の皿類支持部に椀形状の外周面１４の曲率が小さい食器４を設置する場合、第１の線材２７と第２の線材２８ａとの交点で食器４の内周面側１３を支持する。２本の第１の線材２７の間隔を広げることにより、第２の線材２８ａの隣にある第２の線材２８ｂで支持する食器４の外周面１４の位置は食器４の開口部側の方へ移動し、食器４の設置姿勢はより鉛直状態に近づく。
【００３０】
このことにより、食器４を安定して支持することができるため、食器４の前傾を防ぐことができ、洗浄性能を確保するための食器４相互の間隔を確保することができる。また、食器４相互の干渉を防ぐことができ、食器４の損傷を防ぐことができる。
【００３１】
【発明の効果】
以上のように本発明の請求項１に記載の発明によれば、かご底枠と、前記かご底枠に固定した皿類周端部載置用の第１の線材と、前記第１の線材に取り付けられ適当な間隔をおいて凹部を有する保持部材と、前記第１の線材に各々の一端を結合し皿類の外周面を支持する複数の第２の線材とを備え、前記第２の線材は、前記保持部材の凹部に嵌合解除可能に嵌合保持し、嵌合解除したときは前記第１の線材の軸方向に移動可能に構成したから、皿類支持部に椀形状または丼形状等の外周面の曲率が小さい食器を設置する場合は、第２の線材の内の１組により食器の内周面側を支持し、この第２の線材と隣に並立する第２の線材との間隔を広げることによって、食器の外周面の支持位置が食器の底側へ移動し、より上方で支持することができ、複数の食器を干渉させることなく安定して支持することができるとともに、第２の線材の各組を同時に移動することができるため、使用勝手を向上することができる。
【００３２】
また、請求項２に記載の発明によれば、第２の線材を略Ｕ字状に構成し、その根元部分を保持部材の凹部に嵌合解除可能に嵌合保持したから、皿類支持部に椀形状または丼形状等の外周面の曲率が小さい食器を設置する場合は、第２の線材の内の１組により食器の内周面側を支持し、この第２の線材と隣に並立する第２の線材との間隔を広げることによって、食器の外周面の支持位置が食器の底側へ移動し、より上方で支持することができ、複数の食器を干渉させることなく安定して支持することができるとともに、第２の線材の各組を同時に移動することができるため、使用勝手を向上することができるとともに略Ｕ字形状による弾性力を利用した簡易な固定方式とすることができるため、より廉価な食器洗い機のかごを得ることができる。
【００３３】
また、請求項３に記載の発明によれば、かご底枠と、前記かご底枠に固定した皿類周端部載置用の第１の線材と、皿類の外周面を支持する複数の第２の線材と、前記第２の線材の一対を組として固定する連結線材とを備え、前記連結線材を前記第１の線材と垂直に交差させて回転可能に構成することにより、前記第２の線材の前記第１の線材の軸方向における傾斜角度を調節可能に構成したから、皿類支持部に椀形状または丼形状等の外周面の曲率が小さい食器を設置する場合は、第２の線材の内の１組により食器の内周面側を支持し、この第２の線材と隣に並立する第２の線材を食器の底側へ傾倒することによって、食器の外周面の支持位置を下方へ移動し、食器の開口面が鉛直に近い状態で設置することができ、複数の食器を干渉させることなく安定して支持することができる。
【００３４】
また、請求項４に記載の発明によれば、第２の線材の組に対し傾斜角度調節部を設けたから、皿類支持部に椀形状または丼形状等の外周面の曲率が小さい食器を設置する場合は、第２の線材の内の１組により食器の内周面側を支持し、この第２の線材と隣に並立する第２の線材を食器の底側へ傾倒することによって、食器の外周面の支持位置を下方へ移動し、食器の開口面が鉛直に近い状態で設置することができ、複数の食器を干渉させることなく安定して支持することができるとともに、傾斜角度調節部を用いて第２の線材の各組を同時に調節することができるため、使用勝手を向上することができる。
【００３５】
また、請求項５に記載の発明によれば、傾斜角度調節部をかご前方部に配したから、皿類支持部に椀形状または丼形状等の外周面の曲率が小さい食器を設置する場合は、第２の線材の内の１組により食器の内周面側を支持し、この第２の線材と隣に並立する第２の線材を食器の底側へ傾倒することによって、食器の外周面の支持位置を下方へ移動し、食器の開口面が鉛直に近い状態で設置することができ、複数の食器を干渉させることなく安定して支持することができるとともに、かごの前方より食器の傾きを確認しながら傾斜角度調節部を操作することができ、食器に触れることなく第２の線材の各組を同時に調節することができるため、使用勝手を向上することができる。
【図面の簡単な説明】
【図１】  本発明の第１の実施例の食器洗い機のかごの要部斜視図
【図２】  同食器洗い機のかごの一部切欠した拡大側面図
【図３】  本発明の第２の実施例の食器洗い機のかごの要部斜視図
【図４】  本発明の第３の実施例の食器洗い機のかごの一部切欠した斜視図
【図５】  同食器洗い機のかごの要部拡大斜視図
【図６】  本発明の第４の実施例の食器洗い機のかごの要部斜視図
【図７】  従来の食器洗い機の縦断面図
【図８】  同食器洗い機のかごの要部斜視図
【符号の説明】
４  食器（皿類）
１０  かご底枠
１１  第１の線材
１４  外周面
１６  第２の線材
【図１】
0003799731.tif 000002
【図２】
0003799731.tif 000003
【図３】
0003799731.tif 000004
【図４】
0003799731.tif 000005
【図５】
0003799731.tif 000006
【図６】
0003799731.tif 000007
【図７】
0003799731.tif 000008
【図８】
0003799731.tif 000009